(57)【要約】【課題】遊技台データに、その遊技台の配置状況を関連付けて見やすく表示できる遊技台データ表示システムを提供することである。【解決手段】記憶部５と、データ処理部６と、データ表示部４とを備え、上記記憶部は、複数の遊技場に設置された遊技台の機種とその配列状況と、各遊技台の遊技台データとを記憶し、上記データ処理部は、特定された機種に対応する遊技台を特定し、これらの遊技台の各遊技場内における配列状況に対応させて、遊技場毎に、遊技台に対応する配列子を並べ、これを表示部に表示させるとともに、上記配列子に対応する遊技台の遊技台データを表示部に表示させる機能を備えた。【選択図】  図１
2004313375.tif 000002
【特許請求の範囲】
【請求項１】
記憶部と、データ処理部と、データ表示部とを備え、上記記憶部は、複数の遊技場に設置された遊技台の機種とその配列状況と、各遊技台の遊技台データとを記憶し、上記データ処理部は、特定された機種に対応する遊技台を特定し、これらの遊技台の各遊技場内における配列状況に対応させて、遊技場毎に、遊技台に対応する配列子を並べ、これを表示部に表示させるとともに、上記配列子に対応する遊技台の遊技台データを表示部に表示させる機能を備えた遊技台データ表示システム。
【請求項２】
記憶部と、データ処理部と、データ表示部とを備え、上記記憶部は、遊技場に設置された遊技台の機種とその配列状況と、各遊技台の遊技台データとを記憶し、上記データ処理部は、特定された機種に対応する遊技台を特定し、これらの遊技台の遊技場内における配列状況に対応させて、遊技台に対応する配列子を、時系列に並べ、これを表示部に表示させるとともに、上記配列子に対応する遊技台の遊技台データを表示部に表示させる機能を備えた遊技台データ表示システム。
【請求項３】
記憶部に通信手段を介して接続可能な携帯端末を備え、上記記憶部は、上記携帯端末から入力された遊技台データを遊技台に対応させて記憶する機能を備えた請求項１または２に記載の遊技台データ表示システム。
【発明の詳細な説明】
【０００１】
【発明の属する技術分野】
この発明は、遊技台の稼働状況などの遊技台データを表示させるシステムに関する。
【０００２】
【従来の技術】
パチンコ店などの遊技場で、チェーン展開しているような場合、複数の店舗の営業成績などのデータを、ホストコンピュータが収集して管理することがある。そして、このホストコンピュータにインターネットを介して接続したコンピュータから、上記ホストコンピュータが収集した各店舗内の遊技台データを閲覧できるようにしたシステムがあった（特許文献１参照）。
このようなシステムでは、特定の店舗の従業員が、自店舗の遊技台データを閲覧するだけでなく、他店のデータも閲覧することができる。さらに、上記コンピュータがどこにあっても、上記ホストコンピュータに接続できれば、遊技場のデータを表示させることができる。つまり、閲覧者は、どこにいても、ホストコンピュータに接続可能なコンピュータによって必要なデータを閲覧することができる。上記遊技場のデータとしては、各遊技台の売上げや、稼動時間のほか、払い出し玉数や、大当たり回数など、様々な遊技台データがある。
【０００３】
一方、遊技者は、自分の好きな遊技台の機種が決まっていて、好みの機種で遊技することが多い。つまり、遊技台機種の人気や、特性が、売上げや、その他の遊技台データに与える影響は大きいと考えられる。
そこで、ホストコンピュータは、収集した遊技台データを、機種別に表示させるようにすることがあった。例えば、特定機種の遊技台データだけを抽出し、それを表にして、複数の店舗のデータを一画面に表示させ、店舗間のデータを対比し易いようにすることもあった。
【０００４】
【特許文献１】
特開平１１−０９９２７１号公報
【０００５】
【発明が解決しようとする課題】
上記のように、異なる店舗間の、特定の機種のデータを対比し易いように並べて表示することは行われていたが、売上げなどの遊技台データに影響を与える要因として、遊技場内の遊技台の配置があり、同一店舗内の同じ機種でも、その配置によって、遊技者の遊技し易さが違って、稼働率に差が出ることがある。例えば、同一遊技台が多数並んでいた場合、その両端の方が、中間よりも先に遊技者が付きやすいというようなことが考えられる。このような、配置による影響を無視して、同一機種に特定した店舗毎のデータを対比した場合、遊技台毎にデータに差があったとしても、その原因が、設置されている店舗特有のものなのか、配置によるものなのか、はっきりさせることができない。
【０００６】
そこで、遊技場内の各遊技台の配置を示したレイアウト図を作成して、上記遊技台データの表とともに、表示させることも考えられる。しかし、複数の店舗のデータを対比する場合、複数の店舗内のレイアウト図と、遊技台データとを同一画面に表示したのでは、データが見難くなってしまう。つまり、機種を特定した遊技台データに、配置状況がわかるデータを付加して、見やすく表示することは難しかった。
この発明の目的は、遊技台データに、その遊技台の配置状況を関連付けて見やすく表示できる遊技台データ表示システムを提供することである。
【０００７】
【課題を解決するための手段】
第１の発明は、記憶部と、データ処理部と、データ表示部とを備え、上記記憶部は、複数の遊技場に設置された遊技台の機種とその配列状況と、各遊技台の遊技台データとを記憶し、上記データ処理部は、特定された機種に対応する遊技台を特定し、これらの遊技台の各遊技場内における配列状況に対応させて、遊技場毎に、遊技台に対応する配列子を並べ、これを表示部に表示させるとともに、上記配列子に対応する遊技台の遊技台データを表示部に表示させる機能を備えた点に特徴を有する。
【０００８】
第２の発明は、記憶部と、データ処理部と、データ表示部とを備え、上記記憶部は、遊技場に設置された遊技台の機種とその配列状況と、各遊技台の遊技台データとを記憶し、上記データ処理部は、特定された機種に対応する遊技台を特定し、これらの遊技台の遊技場内における配列状況に対応させて、遊技台に対応する配列子を、時系列に並べ、これを表示部に表示させるとともに、上記配列子に対応する遊技台の遊技台データを表示部に表示させる機能を備えた点に特徴を有する。
【０００９】
第３の発明は、上記第１、第２の発明を前提とし、記憶部に通信手段を介して接続可能な携帯端末を備え、上記記憶部は、上記携帯端末から入力された遊技台データを遊技台に対応させて記憶する機能を備えた点に特徴を有する。
【００１０】
【発明の実施の形態】
図１〜図３にこの発明の第１実施例を示す。
第１実施例のシステムは、図１に示すように、遊技場に設置された遊技台１と、これらの遊技台１に接続し、遊技台１から、遊技台データを収集するホールコンピュータ２とを備えている。このホールコンピュータ２は、店舗毎に設置され、自店舗に設置されている各遊技台の遊技台データを一定期間、例えば、１日分ずつ記憶している。
また、このシステムは、上記ホールコンピュータ２にインターネットなどの通信ネットＮを介して接続可能なデータサーバー３と、このデータサーバー３と上記通信ネットＮを介して接続可能な表示装置４とを備えている。
【００１１】
上記データサーバー３は、記憶部５と処理部６とを備え、処理部６は、各ホールコンピュータ２から、遊技台データを収集し、記憶部５に記憶させるとともに、上記表示装置４に、表示させる遊技台データを処理する機能を備えている。遊技台データを処理する機能には、ホールコンピュータ２から収集した遊技台データを必要に応じて集計したり、抽出したりするだけでなく、上記表示装置４に、遊技台データを見やすく表示させるための表示データを生成する機能も含まれる。
【００１２】
上記記憶部５は、各遊技場から収集した遊技台データを、遊技台番号に対応させて記憶するとともに、各遊技台の機種と、それらの配置状況とを対応付けて記憶している。上記配置状況とは、遊技場内の全レイアウトでも良いが、各機種毎のグループ内での配列だけでもかまわない。
この記憶部５が記憶している遊技台データには、稼働率や、売上げ金額、アウト数や、セーフ数、大当たり回数、スタート回数などがある。なお、上記アウト数とは、遊技者が打ち出した玉数のことであり、セーフ数とは、遊技台から払い出された玉数である。また、スタート回数とは、特定の入賞口にパチンコ玉が入賞した際に、図柄が動き出す回数のことで、大当たりとは、スタート後、動いている図柄が、特定のパターンで停止して、特別に多くの遊技媒体が払い出される状況のことである。
さらに、上記遊技台データには、単位時間毎に集計した経時データも含まれる。
【００１３】
上記表示装置４は、パソコンや、携帯端末など、通信機能と、ディスプレイとを備えた装置であり、各店舗の管理者や、チェーン店の管理者などが利用するための装置で、この発明の表示部にあたる。そして、この表示装置４は、どこに設置しておいてもかまわないし、携帯端末であってもかまわない。例えば、店舗内に設置したパソコンでもよいし、データサーバー３に直接接続したディスプレイであってもよいし、ホールコンピュータ２を、表示装置として利用することもできる。
【００１４】
次に、データサーバー３が、上記表示装置４に、多店舗について、機種を特定した遊技台データと、遊技台の配置状況とを関連づけて表示させる場合について説明する。
まず、遊技台データを閲覧したいチェーン店管理者などは、表示装置４からデータサーバー３にアクセスして、表示装置４に、図示しないデータ閲覧のホームページを表示させる。このデータ閲覧ホームページのメニューから、表示させたいデータの種類を選択する。例えば、「多店舗遊技台データの同時表示」、「特定店舗の遊技台データの経時変化」というような項目から、必要なものを選択する。この第１実施例では、「多店舗遊技データの同時表示」を選択して、図２に示す、データ表示画面７を表示させる。
【００１５】
図２のデータ表示画面７は、表示させる遊技台データの日付を選択する日付選択欄８と、機種名を選択する機種名選択欄９と、店舗名を選択する店舗名選択欄１０ａ，１０ｂ，１０ｃ，１０ｄとを備えていて、閲覧者は、これらの欄で、日付と、機種名と、店舗名とを特定する。この実施例では、上記日付、機種名、店舗名を、プルダウン画面から選択するようにしているが、具体的な日付や機種名、店舗名を、手入力するようにしてもかまわない。要するに、表示させたいデータの日付と機種名と店舗名とを、特定できればよい。
図２では、日付「２００３年４月１０日」、機種名「ＳＳＳ」、店舗名「Ａ」，「Ｂ」，「Ｘ」，「Ｚ」が選択されている。
【００１６】
さらに、遊技台データの中から、必要なデータを選択できるようにしても良いが、ここでは、遊技台データとして、その日１日の売上げ金額と、その遊技台の釘調整データとを表示させるものとする。
なお、釘調整データとは、遊技台であるパチンコ台の、特定個所の釘の幅を示した値である。そして、この釘調整データも、遊技台に対応付けて上記記憶部５に記憶させておく。
【００１７】
以上のようにして、閲覧者によって、日付と、機種名と、店舗名とが特定されると、データサーバー３の処理部６は、記憶部５に記憶したデータの中から、上記日付と、機種名と、店舗名とを条件にして、遊技台を抽出し、さらに、この遊技台に対応する遊技台データのうち、上記日付に対応する遊技データを抽出する。
また、上記抽出した遊技台の、配列状況に基づいて、各遊技台に対応する配列子を並べた表示データを作成し、これを、表示装置４に表示させる。図２に示すデータ表示画面７中では、四角形の枠を、各遊技台に対応する配列子１１として用いている。つまり、１つの配列子１１を１台の遊技台として、各遊技場内での、配置状況を示している。ただし、配列子は、この実施例のものに限らず、丸や三角などの図形や、その他のマークでもよい。
【００１８】
例えば、店舗Ａでは、機種ＳＳＳの遊技台が、１つの島内に２０台並んでいて、店舗Ｂでは、機種ＳＳＳが、１つの島の、片側の列にだけ、あるいは、壁に側の島に１列に設置されているということがわかる。
そして、各配列子１１に対応する遊技台データとして、売上げ金額を、模様で示している。各模様は、凡例１２で示すように、売上げ金額に対応している。そして、この凡例１２を同一のデータ表示画面７上に表示させているので、各遊技台の売上げ状況が視覚的に理解でき、店舗間での売上げの対比もし易い。
【００１９】
さらに、各配列子１１には、その遊技台の釘調整データを対応付けている。具体的には、図３に示す拡大図のように、配列子中に、釘調整データの実際の数値を表示させている。これにより、各遊技台の売上げデータと釘調整データとを、同時に、分かりやすく表示することができる。ただし、各データは、この実施例のように、一度に表示しなくてもかまわない。例えば、特定の配列子に、カーソルを合わせると、対応するデータが表示されるようにしてもよい。
【００２０】
どちらにしても、売上げデータや、釘調整データを、遊技台の配列に関連づけて表示することができる。従って、個々の遊技台の売上げデータが、配置による影響をどのように受けているのかを考察することができる。もちろん、売上げには、釘調整データが影響するが、同じ機種で、同じ釘調整データなのに、配置によって人気が異なるために売上げに差が出るようなことがあった場合、図２のデータ表示画面７からそれらを推測することができる。
【００２１】
なお、この発明のシステムでは、機種を特定した遊技台だけを抜き出して、そのグループの中の配列状況だけを表示するようにしているが、店舗内の全遊技台のレイアウトを表示しなくてもよい理由を以下に説明する。
通常、遊技場は複数種の機種を設置しているが、同一機種を、店内のあちこちにバラバラに設置することはしないで、同一島内に設けたり、隣接する島内に設けたりする。例えば、１つの島を同一機種で構成しない場合でも、同一機種は、島の一端からまとまって配置されるか、２つの島にまたがる場合でも、遊技台の正面が対向する列に設置するようにしている。２種類の機種の遊技台を、ランダムにバラバラに設置することはしない。遊技者が、好みの遊技台を見つけやすくするためである。従って、同一機種は、ひとかたまりになって設置されているのが通常である。
【００２２】
一方で、遊技者は、遊技する遊技台を決めていることが多い。そのため、自分が遊技する遊技台を選ぶ場合には、好みの機種がひとまとまりになっている所に行って、その中で、どの遊技台にしようかを考える場合が多い。そして、同一機種で、釘調整データなどの条件が同じならば、その中から自分の好きな配置を選択することになる。つまり、遊技台を選択する場合に、好みでない機種の配置など全くかまわない。そのため、個々の遊技台の売上げや、稼働率には、特定機種の遊技台の配列状況が、大きく影響すると考えられる。
【００２３】
従って、データ表示画面７では、同一機種毎のまとまりと、その中における各機種の配置とを表示させるだけで、配列状況の影響を見ることができる。さらに、店舗内の全遊技台のレイアウト図を表示させたのでは、複数の店舗のデータを一画面に対比表示させることができないので、必要最小限のデータとして、機種毎のまとまりの配列状況を表示させている。
【００２４】
図４に第２実施例のデータ表示画面１４を示す。このデータ表示画面１４は、図１に示す表示装置４が、データサーバー３にアクセスして、ディスプレイに表示させたものである。この第２実施例のシステムの全体構成は、図１に示す第１実施例と同じなので、以下の説明に、図１を用いるとともに、上記データ表示画面１４中、第１実施例と同じの構成要素には、図２と同じ符号を付けている。
ただし、このデータ表示画面１４は、機種を特定した中で、各遊技台の売上げデータの時間的推移を、２店舗分、表示させる画面である。
【００２５】
すなわち、日付選択欄８で、日付を選択し、機種名選択欄９で、機種名を選択し、店舗名選択欄１０ａ、１０ｂで、店舗名を選択している。
データサーバー３の処理部６は、上記各選択欄から選択された条件に基づいて、記憶部５に記憶されているデータから遊技台を抽出し、対応するデータを特定する。そして、抽出した遊技台の配列状況に対応させた配列子１１を並べた配列子グループを、時間帯欄１５に表示された時間帯の数だけ作成して表示させる。この実施例では、店舗Ａの機種ＳＳＳの配列子グループをグループ１６ａ，１６ｂ，１６ｃ，１６ｄとし、店舗Ｚの、機種ＳＳＳの配列子グループを、グループ１７ａ，１７ｂ，１７ｃ，１７ｄで表している。
【００２６】
そして、各グループ内の個々の配列子に対応する時間帯における売上げデータを、模様で表示している。つまり、２００３年４月１０日の１０時から１３時における、店舗Ａの機種ＳＳＳ売上げデータを、グループ１６ａ、１３時から１６時の売上げデータをグループ１６ｂに示し、１６時〜１９時の売上げデータをグループ１６ｃ、１９時から２２時の売上げデータをグループ１６ｄに示している。
同様に、店舗Ｚにおける、機種ＳＳＳの売上げデータも、各時間帯に対応させて、グループ１７ａ，１７ｂ，１７ｃ，１７ｄに示している。
なお、この模様の凡例１３は、第１実施例の凡例１２と同じである。
【００２７】
また、この第２実施例でも、図３に示す第１実施例と同様に、各配列子１１内に釘調整データを表示させるようにすることもできる。
このように、第２実施例でも、売上げデータなどの遊技台データを、遊技台の配列状況に対応させて表示することができる。そのため、遊技台の配列状況を考慮して、遊技台データを見ることができる。
この第２実施例では、店舗Ａと店舗Ｚの遊技台データを時系列に表示させているが、特定の１店舗だけのデータを表示させるようにしてもよいし、３店舗以上のデータを表示させるようにしてもよい。
ただし、店舗数が多くなって、データ数が増えれば、一覧しづらくなるので、限界はある。
【００２８】
なお、上記第１，第２実施例におけるデータサーバー３は、ホールコンピュータ２と通信ネットＮを介して接続するのではなく、いずれかのホールコンピュータ２と同一店舗内に設置して、直接接続してもかまわない。また、ホールコンピュータ２を、設けないで、データサーバー３が、遊技台１から直接、遊技台データを収集するようにしても良いし、その他の方法で、遊技台データを入力するようにしてもよい。要するに、上記記憶部５には、遊技台データが記憶されていればよい。
さらに、データサーバー３の記憶部５と処理部６が、同一のサーバ内ではなく、別々のコンピュータの機能であってもかまわない。
【００２９】
また、店舗にホールコンピュータ２を設ける代わりに、通信ネットＮを介してデータサーバー３に接続可能な携帯電話などの携帯端末を利用して、携帯端末に対象となる店舗の遊技台データを入力し、各店舗の遊技台データをデータサーバー３に送信することもできる。データサーバー３は、受信した遊技台データを、記憶部５に記憶させる。このような携帯端末を利用すれば、各店舗にホールコンピュータ２を設ける必要がないし、１台の携帯端末を複数の店舗で利用することもできる。
【００３０】
【発明の効果】
第１〜第３の発明によれば、機種を特定した各遊技台のデータを、その遊技台の配列状況と関連づけて、表示することができる。しかも、遊技台の配列状況が、対応する配列子によって示されるので、配列状況が一目でわかる。
その結果、配列状況を考慮した機種毎の遊技台データを、経営情報として利用することができる。
【００３１】
特に、第１の発明では、複数の店舗のデータを、遊技台の配列状況を含めて、対比することができる。
第２の発明によれば、遊技台データの経時変化を、視覚的に把握することができる。
第３の発明によれば、遊技台データを収集するために、ホールコンピュータなどを店舗毎に設ける必要がなくなる。
【図面の簡単な説明】
【図１】第１実施例のシステムの全体構成図である。
【図２】第１実施例の遊技台データ表示画面である。
【図３】第１実施例の遊技台データ表示画面の部分拡大図である。
【図４】第２実施例の遊技台データ表示画面である。
【符号の説明】
３      データサーバー
４      表示装置
５      記憶部
６      処理部
７      データ表示画面
１１    配列子
１４    データ表示画面
【図１】
2004313375.tif 000003
【図２】
2004313375.tif 000004
【図３】
2004313375.tif 000005
【図４】
2004313375.tif 000006